【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
記録ヘッドを構成する複数の記録素子を分けて得られる複数のセクションにおいて、各セクションを構成する記録素子毎に異なる駆動タイミングを制御可能な画像記録装置であって、
入力画像の特徴情報として、該入力画像が網点画像であるか否かを示す情報を取得する取得手段と、
前記特徴情報に基づいて、前記記録素子毎の駆動タイミングを設定する設定手段と、
前記記録素子毎の駆動タイミングに基づき、前記複数の記録素子のそれぞれを駆動する駆動手段と、を有し、
前記設定手段は、前記特徴情報が網点画像である旨を示す場合に、前記セクション内の記録素子数と、前記複数の記録素子の配列方向における前記入力画像の網点周期とが整数倍の関係となり、かつ前記記録ヘッドにおける前記セクションの境界位置を該記録ヘッドが網点の単位マトリクス分移動する毎に変更するように、前記記録素子毎の駆動タイミングを設定する
ことを特徴とする画像記録装置。
【請求項２】
前記取得手段は、前記特徴情報として、前記入力画像の階調数、周期性、網点周期及び網点角度、のうちの少なくとも１つを示す情報を取得し、
前記設定手段は、前記特徴情報が、前記入力画像が２値であり、かつ周期性があり、かつ網点周期および網点角度の情報が有る旨を示す場合に、前記セクション内の記録素子数と、前記複数の記録素子の配列方向における前記入力画像の網点周期とが整数倍の関係となり、かつ前記記録ヘッドにおける前記セクションの境界位置を該記録ヘッドが網点の単位マトリクス分移動する毎に変更するように、前記記録素子毎の駆動タイミングを設定する
ことを特徴とする請求項１に記載の画像記録装置。
【請求項３】
前記設定手段は、前記特徴情報が、前記入力画像が２値であり、かつ周期性があるが、網点周期および網点角度の情報が無い旨を示す場合に、前記記録素子毎の駆動タイミングを、その周波数特性が高周波成分に比べて低周波成分が少なくなるように設定する
ことを特徴とする請求項１に記載の画像記録装置。
【請求項４】
前記取得手段は、前記特徴情報を前記入力画像に添付された情報から取得する
ことを特徴とする請求項１乃至３のいずれか１項に記載の画像記録装置。
【請求項５】
前記取得手段は、前記特徴情報をユーザによって入力された情報から取得する
ことを特徴とする請求項１乃至３のいずれか１項に記載の画像記録装置。
【請求項６】
前記取得手段は、前記入力画像を解析した結果に基づいて前記特徴情報を取得する
ことを特徴とする請求項１乃至３のいずれか１項に記載の画像記録装置。
【請求項７】
前記設定手段は、前記記録ヘッドによるマルチパス記録を行う場合、前記記録ヘッドにおける前記セクションの境界位置をパス順に応じて変更する
ことを特徴とする請求項１乃至６のいずれか１項に記載の画像記録装置。
【請求項８】
記録ヘッドを構成する複数の記録素子のそれぞれについて駆動タイミングを制御可能な画像記録装置であって、
入力画像の特徴情報として、該入力画像が角度のある網点画像であるか否かを示す情報を取得する取得手段と、
前記特徴情報に基づいて、前記記録素子毎の駆動タイミングを設定する設定手段と、
前記記録素子毎の駆動タイミングに基づき、前記複数の記録素子のそれぞれを駆動する駆動手段と、を有し、
前記設定手段は、前記特徴情報が角度のある網点画像である旨を示す場合に、前記入力画像における網点の単位マトリクスの全てについて、ドットの吐出タイミングの相対関係が同じになるように、前記記録素子毎の駆動タイミングを設定する
ことを特徴とする画像記録装置。
【請求項９】
記録ヘッドを構成する複数の記録素子それぞれが属する複数のブロック毎に順次駆動する時分割駆動可能な画像記録装置であって、
入力画像の特徴情報として、該入力画像が網点画像であるか否かを示す情報を取得する取得手段と、
前記特徴情報に基づいて、前記記録素子毎の駆動タイミングを設定する設定手段と、
前記記録素子毎の駆動タイミングに基づき、前記複数の記録素子のそれぞれを駆動する駆動手段と、を有し、
前記設定手段は、前記特徴情報が網点画像である旨を示す場合に、前記記録ヘッドが網点の単位マトリクス分移動する毎に、前記記録ヘッドにおいて最初に駆動するブロックと前記単位マトリクスを構成する複数の行の内の同一位置の行とが合うように、前記記録素子毎の駆動タイミングを設定する
ことを特徴とする画像記録装置。
【請求項１０】
記録ヘッドを構成する複数の記録素子を分けて得られる複数のセクションにおいて、各セクションを構成する記録素子毎に異なる駆動タイミングを制御可能な画像記録装置の制御方法であって、
入力画像の特徴情報として、該入力画像が網点画像であるか否かを示す情報を取得する取得ステップと、
前記特徴情報に基づいて、前記記録素子毎の駆動タイミングを設定する設定ステップと、
前記記録素子毎の駆動タイミングに基づき、前記複数の記録素子のそれぞれを駆動する駆動ステップと、を有し、
前記設定ステップにおいては、前記特徴情報が網点画像である旨を示す場合に、前記セクション内の記録素子数と、前記複数の記録素子の配列方向における前記入力画像の網点周期とが整数倍の関係となり、かつ前記記録ヘッドにおける前記セクションの境界位置を該記録ヘッドが網点の単位マトリクス分移動する毎に変更するように、前記記録素子毎の駆動タイミングを設定する
ことを特徴とする画像記録装置の制御方法。
【請求項１１】
記録ヘッドを構成する複数の記録素子のそれぞれについて駆動タイミングを制御可能な画像記録装置の制御方法であって、
入力画像の特徴情報として、該入力画像が網点画像であるか否かを示す情報を取得する取得ステップと、
前記特徴情報に基づいて、前記記録素子毎の駆動タイミングを設定する設定ステップと、
前記記録素子毎の駆動タイミングに基づき、前記複数の記録素子のそれぞれを駆動する駆動ステップと、を有し、
前記設定ステップは、前記特徴情報が網点画像である旨を示す場合に、前記入力画像における網点の単位マトリクスの全てについて、ドットの吐出タイミングの相対関係が同じになるように、前記記録素子毎の駆動タイミングを設定する
ことを特徴とする画像記録装置の制御方法。
【請求項１２】
記録ヘッドを構成する複数の記録素子それぞれが属する複数のブロック毎に順次駆動する時分割駆動可能な画像記録装置の制御方法であって、
入力画像の特徴情報として、該入力画像が網点画像であるか否かを示す情報を取得する取得ステップと、
前記特徴情報に基づいて、前記記録素子毎の駆動タイミングを設定する設定ステップと、
前記記録素子毎の駆動タイミングに基づき、前記複数の記録素子のそれぞれを駆動する駆動ステップと、を有し、
前記設定ステップは、前記特徴情報が網点画像である旨を示す場合に、前記記録ヘッドが網点の単位マトリクス分移動する毎に、前記記録ヘッドにおいて最初に駆動するブロックと前記単位マトリクスを構成する複数の行の内の同一位置の行とが合うように、前記記録素子毎の駆動タイミングを設定する
ことを特徴とする画像記録装置の制御方法。
【請求項１３】
コンピュータで実行されることにより、該コンピュータを請求項１乃至９のいずれか１項に記載の画像記録装置の各手段として機能させるためのコンピュータプログラム。
【手続補正２】
【補正対象書類名】明細書
【補正対象項目名】００１７
【補正方法】変更
【補正の内容】
【００１７】
すなわち、記録ヘッドを構成する複数の記録素子を分けて得られる複数のセクションにおいて、各セクションを構成する記録素子毎に異なる駆動タイミングを制御可能な画像記録装置であって、入力画像の特徴情報として、該入力画像が網点画像であるか否かを示す情報を取得する取得手段と、前記特徴情報に基づいて、前記記録素子毎の駆動タイミングを設定する設定手段と、前記記録素子毎の駆動タイミングに基づき、前記複数の記録素子のそれぞれを駆動する駆動手段と、を有し、前記設定手段は、前記特徴情報が網点画像である旨を示す場合に、前記セクション内の記録素子数と、前記複数の記録素子の配列方向における前記入力画像の網点周期とが整数倍の関係となり、かつ前記記録ヘッドにおける前記セクションの境界位置を該記録ヘッドが網点の単位マトリクス分移動する毎に変更するように、前記記録素子毎の駆動タイミングを設定することを特徴とする。